(57)【要約】【課題】本発明は、車両の走行状況に応じたコンテンツの再生を車両の搭乗者に提案することを目的とする。【解決手段】本発明に係るコンテンツ再生提案装置１Ａは、車両の走行状況を判断する走行状況判断部２と、音源が再生可能なコンテンツの中から車両の走行状況に対応する属性を有するコンテンツを選択するコンテンツ選択部５と、コンテンツ選択部５で選択したコンテンツの再生を車両内の出力装置２１を用いて車両の搭乗者に提案するコンテンツ提案部６と、を備える。【選択図】図１
2018063133.tif 000002
【特許請求の範囲】
【請求項１】
車両の走行状況を判断する走行状況判断部と、
音源が再生可能なコンテンツの中から、前記車両の走行状況に対応する属性を有するコンテンツを選択するコンテンツ選択部と、
前記コンテンツ選択部で選択したコンテンツの再生を前記車両内の出力装置を用いて前記車両の搭乗者に提案するコンテンツ提案部と、を備える、
コンテンツ再生提案装置。
【請求項２】
前記走行状況判断部は、前記車両の位置情報、交通情報、車速情報のいずれかを少なくとも含む走行情報に基づき、前記走行状況を判断し、
前記走行状況は、渋滞状況、前記車両の走行道路の種別、前記車両の走行地点の周辺環境、前記車両の停止状況の少なくともいずれかを含む、
請求項１に記載のコンテンツ再生提案装置。
【請求項３】
前記コンテンツ提案部の提案に対する前記搭乗者の応答入力を受け付ける入力受付部と、
前記応答入力に基づき、前記コンテンツ選択部が選択したコンテンツを前記音源に再生させるコンテンツ再生制御部と、をさらに備える、
請求項１又は２に記載のコンテンツ再生提案装置。
【請求項４】
前記音源は複数であり、
前記コンテンツ再生制御部は、前記コンテンツ選択部が選択したコンテンツが複数の前記音源により再生可能な場合、当該複数の音源のうち前記搭乗者が選択した音源に、前記コンテンツ選択部が選択したコンテンツを再生させる、
請求項３に記載のコンテンツ再生提案装置。
【請求項５】
前記出力装置は、表示装置と音声出力装置とを備え、
前記コンテンツ提案部は、前記車両の走行中は前記音声出力装置を用い、前記車両の停止中は前記表示装置を用いて、前記コンテンツ選択部が選択したコンテンツの再生を提案する、
請求項１から４のいずれか１項に記載のコンテンツ再生提案装置。
【請求項６】
前記属性は、プレイリスト名、アーティスト名、曲名、およびアルバム名の少なくともいずれかを含む、
請求項１から５のいずれか１項に記載のコンテンツ再生提案装置。
【請求項７】
前記車両の走行状況には優先度が定められており、
前記コンテンツ選択部は、前記走行状況判断部で判断した前記車両の走行状況が複数存在する場合に、最も優先度の高い前記車両の走行状況に対応する属性を有するコンテンツを、前記音源が再生可能なコンテンツの中から選択する、
請求項１から６のいずれか１項に記載のコンテンツ再生提案装置。
【請求項８】
コンピュータに、
車両の走行状況を判断させ、
音源が再生可能なコンテンツの中から、前記車両の走行状況に対応する属性を有するコンテンツを選択させ、
前記選択されたコンテンツの再生を前記車両内の出力装置を用いて前記車両の搭乗者に提案させる、
コンテンツ再生提案プログラム。
【発明の詳細な説明】
【技術分野】
【０００１】
この発明は、車両の搭乗者にコンテンツ再生を提案する技術に関する。
【背景技術】
【０００２】
車両の搭乗者の利用に供する装置として、音楽又は映像などのコンテンツの再生機能を有するコンテンツ再生装置がある。一般的なコンテンツ再生装置は、車両の搭乗者であるユーザの操作に応じてユーザに指示されたコンテンツを再生するものであり、装置側で再生コンテンツを決定したり提案したりはしない。
【０００３】
これに対して特許文献１には、装置側で再生コンテンツを決定するカーナビゲーション装置が開示されている。特許文献１のカーナビゲーション装置は、渋滞を検知すると渋滞時間を予測し、渋滞時間に応じた再生時間のコンテンツを再生する。
【先行技術文献】
【特許文献】
【０００４】
【特許文献１】特開２００５−３０８５１４号公報
【発明の概要】
【発明が解決しようとする課題】
【０００５】
特許文献１のカーナビゲーション装置によれば、ユーザの操作によらず装置側で再生コンテンツが決定されるが、ユーザにコンテンツの提案を行わないため、ユーザの意思を反映した再生コンテンツを決定することが出来なかった。
【０００６】
本発明は上述の問題点に鑑み、車両の走行状況に応じたコンテンツの再生を車両の搭乗者に提案することを目的とする。
【課題を解決するための手段】
【０００７】
本発明に係るコンテンツ再生提案装置は、車両の走行状況を判断する走行状況判断部と、音源が再生可能なコンテンツの中から車両の走行状況に対応する属性を有するコンテンツを選択するコンテンツ選択部と、コンテンツ選択部で選択したコンテンツの再生を車両内の出力装置を用いて車両の搭乗者に提案するコンテンツ提案部と、を備える。
【０００８】
本発明に係るコンテンツ再生提案プログラムは、コンピュータに、車両の走行状況を判断させ、音源が再生可能なコンテンツの中から車両の走行状況に対応する属性を有するコンテンツを選択させ、選択されたコンテンツの再生を車両内の出力装置を用いて車両の搭乗者に提案させる。
【発明の効果】
【０００９】
本発明に係るコンテンツ再生提案装置は、車両の走行状況を判断する走行状況判断部と、音源が再生可能なコンテンツの中から車両の走行状況に対応する属性を有するコンテンツを選択するコンテンツ選択部と、コンテンツ選択部で選択したコンテンツの再生を車両内の出力装置を用いて車両の搭乗者に提案するコンテンツ提案部と、を備える。従って、車両の走行状況に応じたコンテンツの再生を車両の搭乗者に提案することができる。
【００１０】
本発明に係るコンテンツ再生提案プログラムは、コンピュータに、車両の走行状況を判断させ、音源が再生可能なコンテンツの中から車両の走行状況に対応する属性を有するコンテンツを選択させ、選択されたコンテンツの再生を車両内の出力装置を用いて車両の搭乗者に提案させる。従って、車両の走行状況に応じたコンテンツの再生を車両の搭乗者に提案することができる。
【図面の簡単な説明】
【００１１】
【図１】実施の形態１に係るコンテンツ再生提案装置の構成を示すブロック図である。
【図２】実施の形態１に係る状況属性対応データを示す図である。
【図３】実施の形態１に係るコンテンツ再生提案装置の動作を示すフローチャートである。
【図４】実施の形態２に係るコンテンツ再生提案装置の構成を示すブロック図である。
【図５】実施の形態２に係る状況属性対応データを示す図である。
【図６】実施の形態２に係るコンテンツ再生提案装置の動作を示すフローチャートである。
【図７】表示装置を用いたコンテンツの提案例を示す図である。
【図８】音声出力装置を用いたコンテンツの提案例を示す図である。
【図９】コンテンツ再生提案装置のハードウェア構成を示す図である。
【図１０】コンテンツ再生提案装置のハードウェア構成を示す図である。
【図１１】車載装置とサーバを用いたコンテンツ再生提案装置の構成例を示す図である。
【発明を実施するための形態】
【００１２】
＜Ａ．実施の形態１＞
＜Ａ−１．構成＞
図１は、本発明の実施の形態１に係るコンテンツ再生提案装置１Ａの構成を示すブロック図である。コンテンツ再生提案装置１Ａは、車両の搭乗者をユーザとし、ユーザに対して車両の走行状況に応じたコンテンツの再生を提案する。以下の説明ではコンテンツ再生提案装置１Ａを車載装置とするが、これは一例である。
【００１３】
コンテンツ再生提案装置１Ａは、走行情報取得部１、走行状況判断部２、状況属性対応データ取得部３、コンテンツ管理部４、コンテンツ選択部５、およびコンテンツ提案部６を備えている。
【００１４】
走行情報取得部１は走行情報を取得する。走行情報は、走行状況判断部２が走行状況を判断するために必要な情報であり、例えば、車両の位置情報、交通情報、車速情報のいずれかを少なくとも含む。あるいは、走行情報は地図データを含んでもよい。走行情報取得部１が走行情報として車両の位置情報を取得する場合、走行情報取得部１は、例えばＧＰＳ（Global Positioning System）信号の受信装置を備えて構成される。図１では、走行情報取得部１が地図データをコンテンツ再生提案装置１Ａの外部から取得するように示しているが、地図データは外部のサーバに格納されたものでもよいし、コンテンツ再生提案装置１Ａが有するＨＤＤ（Hard Disk Drive）等の記憶媒体に格納されたものでもよい。走行情報取得部１が走行情報として交通情報を取得する場合、走行情報取得部１は、例えばＶＩＣＳ（登録商標）（Vehicle Information and Communication System）情報の受信装置を備えて構成される。また、走行情報取得部１は、車両の車速センサから車速情報を取得することができる。
【００１５】
走行状況判断部２は、走行情報取得部１が取得した走行情報に基づき車両の走行状況を判断する。例えば、走行状況判断部２は、交通情報に基づき車両の走行道路の渋滞状況を判断する。あるいは、走行状況判断部２は、車両の現在位置と地図データとに基づき、車両が走行している道路が高速道路か一般道路かといった道路の種別、または車両が海沿いを走行中であるといった車両の走行地点の周辺環境を判断する。あるいは、走行状況判断部２は、車速情報に基づき、車両が現在走行しているか停止しているかという車両の停止状況を判断する。
【００１６】
状況属性対応データ取得部３は、車両の走行状況とコンテンツの属性との対応関係を示す状況属性対応データを取得する。図２は、状況属性対応データの一例を示している。図２に例示する状況属性対応データでは、「海沿い走行中」、「山の中を走行中」、「渋滞中」、「一般道路走行中」、「高速道路走行中」、および「停車中」という各走行状況に対して、コンテンツの属性が対応付けられている。「海沿い走行中」と「山の中を走行中」は車両の走行地点の周囲の状況を示し、「一般道路走行中」と「高速道路走行中」は車両の走行道路の種別を示している。コンテンツの属性は、属性項目と属性名称とで表される。コンテンツの属性項目は、コンテンツを特定するための項目であり、例えばプレイリスト、アーティスト、アルバム、曲の何れかを少なくとも含む。また、属性名称は属性項目の名称を示している。すなわち、コンテンツの属性とは、プレイリスト名、アーティスト名、アルバム名、曲名などである。図２の例では、走行状況「海沿い走行中」に、プレイリスト名「ＡＡＡ」がコンテンツの属性として対応付けられている。
【００１７】
コンテンツ管理部４は、音源３０が再生可能なコンテンツの情報を管理している。図１では、音源３０はコンテンツ再生提案装置１Ａの外部構成として示されているが、コンテンツ再生提案装置に内包されていてもよい。コンテンツ管理部４は、音源３０が再生可能なコンテンツの情報をコンテンツ選択部５に出力する。
【００１８】
コンテンツ選択部５は、走行状況判断部２から現在の車両の走行状況を、状況属性対応データ取得部３から状況属性対応データを、コンテンツ管理部４から音源３０が再生可能なコンテンツの情報をそれぞれ取得し、音源３０が再生可能なコンテンツの中から現在の車両の走行状況に対応する属性を有するコンテンツを選択する。
【００１９】
コンテンツ提案部６は、コンテンツ選択部５が選択したコンテンツの情報を取得し、車両内の出力装置２１を用いて当該コンテンツの再生提案を行う。図１には、出力装置２１として表示装置２１Ａと音声出力装置２１Ｂとを示しているが、コンテンツ再生提案装置１Ａは、このうちいずれか一方のみを出力装置２１として備えていても良い。表示装置２１Ａは、液晶表示装置またはヘッドアップディスプレイなどである。また、音声出力装置２１Ｂは、例えばスピーカである。出力装置２１が表示装置２１Ａを含む場合、コンテンツ提案部６は表示装置２１Ａの表示を制御する。また、出力装置２１が音声出力装置２１Ｂを含む場合、コンテンツ提案部６は音声出力装置２１Ｂの音声出力を制御する。
【００２０】
＜Ａ−２．動作＞
次に、図３のフローチャートに沿って、コンテンツ再生提案装置１Ａの動作を説明する。コンテンツ再生提案装置１Ａは、例えば車両のエンジンがＯＮになったタイミングで動作を開始する。まず、走行情報取得部１が走行情報を取得する（ステップＳ１１）。
【００２１】
次に、走行状況判断部２が走行情報に基づき走行状況を判断する（ステップＳ１２）。例えば、走行状況判断部２は、車両の現在の位置情報と地図データとに基づき、走行道路が高速道路か一般道路か、といった道路の種別を判断する。また、走行状況判断部２は、車両の現在の位置情報と地図データとに基づき、車両が海沿いを走行中であるか、または山の中を走行中であるか、といった走行地点の周辺の状況を判断する。また、走行状況判断部２は、車両の車速情報に基づき、車両が停止中か走行中かを判断する。また、走行状況判断部２は、交通情報または車両の車速情報に基づき、渋滞中か否かを判断する。
【００２２】
次に、コンテンツ選択部５が、音源３０で再生可能なコンテンツの中から、搭乗者に提案するコンテンツを選択する（ステップＳ１３）。具体的には、コンテンツ選択部５が、図２に例示した状況属性対応データを参照し、現在の車両の走行状況に対応する属性を取得する。そして、コンテンツ選択部５が、コンテンツ管理部４が管理する音源３０が再生可能なコンテンツの中から、現在の車両の走行状況に対応する属性を有するコンテンツを選択する。例えば、車両の走行状況が「海沿い走行中」である場合、コンテンツ選択部５は図２の状況属性対応データに基づき名称「ＡＡＡ」のプレイリストを提案コンテンツとして選択する。
【００２３】
次に、コンテンツ提案部６が、提案コンテンツの再生を出力装置２１に提案させる（ステップＳ１４）。例えば、コンテンツ提案部６は、「ＡＡＡのプレイリストを再生しませんか？」というメッセージを表示装置２１Ａに表示させる。あるいは、コンテンツ提案部６は、「ＡＡＡのプレイリストを再生しませんか？」というメッセージを音声出力装置２１Ｂに音声出力させる。
【００２４】
これにより、ユーザは、車両の走行状況にあわせたコンテンツの再生提案を受けることができる。
【００２５】
＜Ａ−３．効果＞
以上で説明したように、実施の形態１に係るコンテンツ再生提案装置１Ａによれば、車両の走行状況を判断する走行状況判断部２と、音源３０が再生可能なコンテンツの中から車両の走行状況に対応する属性を有するコンテンツを選択するコンテンツ選択部５と、コンテンツ選択部５で選択したコンテンツの再生を車両の搭乗者に提案するコンテンツ提案部６と、を備える。従って、走行状況に応じたコンテンツを車両の搭乗者であるユーザに提案することができる。
【００２６】
＜Ｂ．実施の形態２＞
＜Ｂ−１．構成＞
図４は、本発明の実施の形態２に係るコンテンツ再生提案装置１Ｂの構成を示すブロック図である。コンテンツ再生提案装置１Ｂは、車両の搭乗者をユーザとし、ユーザに対して車両の走行状況に応じたコンテンツの再生を提案し、ユーザの応答に応じてコンテンツの再生制御を行う。以下の説明ではコンテンツ再生提案装置１Ｂを車載装置とするが、これは一例である。
【００２７】
コンテンツ再生提案装置１Ｂは、実施の形態１のコンテンツ再生提案装置１Ａの構成に加えて入力受付部７を備え、コンテンツ管理部４に代えてコンテンツ再生制御部８を備えている。以下、実施の形態１の構成と同一又は対応する実施の形態２の構成には同一の参照符号を付し、実施の形態１と異なる構成を中心に実施の形態２の説明を行う。
【００２８】
入力受付部７は、車両内の入力装置２２からユーザの入力を受け付ける。出力装置２１に表示装置２１Ａが適用される場合、入力装置２２には当該表示装置２１Ａと一体的に構成されたタッチパネル、または当該表示装置２１Ａと別体のタッチパッドが適用されても良い。また、入力装置２２には、車両の搭乗者の発話音声を認識する音声認識装置が適用されても良い。
【００２９】
コンテンツ再生制御部８は、実施の形態１のコンテンツ管理部４の機能に加えて、音源３０の再生制御機能を有している。
【００３０】
図４には、音源３０として、ＳＤ  Ａｕｄｉｏ３１、ＵＳＢ３２、ラジオ３３、ＣＤ３４、Ｂｌｕｅｔｏｏｔｈ  Ａｕｄｉｏ３５（Ｂｌｕｅｔｏｏｔｈは登録商標）を示しているが、これらは一例である。このように音源３０は複数種類の音源を含んでおり、媒体に記録したコンテンツを再生する音源であってもよい、ラジオ３３等のように受信したコンテンツを再生する音源であってもよい。
【００３１】
状況属性対応データ取得部３は、車両の走行状況とコンテンツの属性との対応関係を示す状況属性対応データを取得する。状況属性対応データは、予め設定されていてもよいし、ユーザ自身が設定し、適宜変更しても良い。実施の形態２の状況属性対応データの一例を図５に示す。この状況属性対応データに示すように、車両の走行状況には、同時に複数の走行状況が成立した場合を想定して優先度が定められている。
【００３２】
＜Ｂ−２．動作＞
図６のフローチャートに沿って、コンテンツ再生提案装置１Ｂの動作を説明する。以下に説明するコンテンツ再生提案装置の動作は、例えば車両のエンジンがＯＮになったタイミングで開始され、その後は例えば一定周期など随時に繰り返される。
【００３３】
まず、実施の形態１と同様に、走行情報取得部１が走行情報を取得し（ステップＳ２１）、走行状況判断部２が走行情報に基づき走行状況を判断する（ステップＳ２２）。そして、走行状況判断部２は、ステップＳ２２で判断した走行状況が前回の判断時から変化しているか否かを判断し（ステップＳ２３）、変化していなければステップＳ２１に戻り、変化していればステップＳ２４に移行する。
【００３４】
ステップＳ２４では、コンテンツ選択部５が、複数の走行状況の変化があるか否かを判断する。例えば、前回の走行状況が「海沿い走行中」かつ「一般道路走行中」であり、今回の走行状況が「山の中を走行中」かつ「高速道路走行中」である場合に、コンテンツ選択部５は複数の走行状況の変化があると判断する。
【００３５】
複数の走行状況の変化がある場合、コンテンツ選択部５は、変化後の走行状況のうち最も優先度の高い走行状況に対応する属性を状況属性対応データに基づき選択する（ステップＳ２５）。例えば、前回から変化した走行状況が「山の中を走行中」かつ「高速道路走行中」である場合には、図５の状況属性対応データに基づき、より優先度の高い「高速道路走行中」の走行状況に対応した属性である、名称「ＦＦＦ」のプレイリストを抽出する。
【００３６】
一方、ステップＳ２４で複数の状況変化がない場合、すなわち、変化した走行状況が一つである場合、コンテンツ選択部５は、その変化した走行状況に対応する属性を状況属性対応データに基づき選択する（ステップＳ２６）。
【００３７】
コンテンツ選択部５は、ステップＳ２５またはステップＳ２６で属性を選択した後、音源３０が再生可能なコンテンツの中に、当該選択した属性を有するコンテンツがあるか判断する（ステップＳ２７）。例えば属性がプレイリスト名である場合、コンテンツ選択部５は、ラジオ３３を除く音源３０の中から該当するプレイリスト名を検索する。あるいは、属性がアルバム名、アーティスト名、曲名である場合、コンテンツ選択部５は全ての音源３０の中から、該当するアルバム名、アーティスト名、曲名を検索する。そして、該当するコンテンツがなければステップＳ２１に戻り、該当するコンテンツがあれば、コンテンツ選択部５は当該コンテンツを提案するコンテンツとして選択する（ステップＳ２８）。
【００３８】
次に、コンテンツ提案部６は、コンテンツ選択部５で選択したコンテンツの再生を出力装置２１に提案させる（ステップＳ２９）。このとき、コンテンツ提案部６は、走行情報取得部１から取得した車速情報に基づき車両が走行中か停止中かを判断する。そして、車両が走行中の場合は、ユーザにテロップ表示を視認する余裕がないことが想定されるため、コンテンツ提案部６は、音声出力装置２１Ｂからの音声出力によってコンテンツの再生を提案する。一方、車両が停止中の場合は、表示装置２１Ａにテロップ表示を行わせることによってコンテンツの再生を提案する。なお、コンテンツ提案部６は、車両が走行中の場合に音声出力およびテロップ表示の両方を行わせても良い。このように、車両が走行中か停止中かに応じて出力装置２１を使い分けることによって、ユーザが理解しやすい態様でコンテンツの再生を提案することができる。
【００３９】
以下、ＣＤ，ＵＳＢ，ＳＤの３つの音源に存在する曲「ＹＹＹ」を提案する場合の、出力装置２１の出力例を図７，８により示す。図７は表示装置２１Ａにおけるテロップ表示例を示し、図８は音声出力装置２１Ｂにおける音声出力例を示している。
【００４０】
図７に示すように、表示装置２１Ａには、「ＹＹＹが複数の音源に存在します。音楽を切替えるのはいかがでしょうか？」というメッセージ３６と、曲「ＹＹＹ」を再生する音源を選択するためのアイコン３７とが表示される。ユーザは、自身が希望する音源のアイコン３７にタッチして、曲「ＹＹＹ」をいずれの音源で再生するかを選択する。このように、提案するコンテンツを再生可能な音源が複数存在する場合には、その中からどの音源でコンテンツを再生するかをユーザに選択させることができる。ここで入力装置２２は、表示装置２１Ａと一体的に構成されたタッチパネルである。なお、ユーザは曲「ＹＹＹ」の再生を希望しない場合にはいずれのアイコン３７にもタッチしない。
【００４１】
図８に示すように、音声出力装置２１Ｂからは、「ＹＹＹがＣＤ，ＵＳＢ，ＳＤに存在します。音楽を切替えるのはいかがでしょうか？」というメッセージが音声出力される。ユーザは、例えば「ＵＳＢ」と発話することにより、「ＵＳＢ」で「ＹＹＹ」を再生することを選択することができる。このとき、入力装置２２には、車両の搭乗者の発話音声を認識する音声認識装置が適用されている。なお、ユーザは曲「ＹＹＹ」の再生を希望しない場合には、発話を行わない。
【００４２】
なお、コンテンツの再生を提案するメッセージの文言は、音源３０のコンテンツ再生状況に応じて変化させても良い。すなわち、既に音源３０が何らかのコンテンツを再生している場合には、図７，８に示したように、「音楽を切替えるのはいかがでしょうか？」と音楽の切替を提案するメッセージを用いる。一方、音源３０がコンテンツを再生していない場合には、「音楽を再生するのはいかがでしょうか？」というメッセージを用いることができる。
【００４３】
図６のフローチャートに戻って、コンテンツ再生制御部８は、ユーザからコンテンツの再生要求があるかを判断する（ステップＳ３０）。上記したように、図７の例でユーザがいずれかの音源を選択するアイコン３７にタッチしたり、図８の例でユーザがいずれかの音源を発話したりした場合、それらの情報がユーザからの再生要求として入力装置２２に取得され、コンテンツ再生制御部８に送られる。コンテンツ再生提案装置１Ｂは、ユーザからの再生要求がなければステップＳ２１に戻り、ユーザからの再生要求があればコンテンツ再生制御部８が、ユーザが選択した音源３０に提案コンテンツを再生させる（ステップＳ３１）。
【００４４】
＜Ｂ−３．効果＞
以上で説明したように、実施の形態２に係るコンテンツ再生提案装置１Ｂによれば、コンテンツ提案部６の提案に対する搭乗者の応答入力を受け付ける入力受付部７と、応答入力に基づき、コンテンツ選択部５が選択したコンテンツを音源に再生させるコンテンツ再生制御部８とを備える。従って、ユーザの意思を反映した再生するコンテンツを決定することができる。
【００４５】
また、コンテンツ再生提案装置１Ｂにおいて、コンテンツ再生制御部８は、コンテンツ選択部５が選択したコンテンツが複数の音源３０により再生可能な場合、当該複数の音源３０のうちユーザが選択した音源３０に、コンテンツ選択部５が選択したコンテンツを再生させる。従って、ユーザが希望する音源からコンテンツを再生させることが可能となる。
【００４６】
また、コンテンツ再生提案装置１Ｂにおいて、コンテンツ提案部６は、車両の走行中は車両内の音声出力装置２１Ｂに音声を出力させ、車両の停止中は車両内の表示装置２１Ａに画像を表示させることによって、コンテンツ選択部５で選択したコンテンツの再生を提案する。従って、ユーザが理解しやすい態様でコンテンツの再生を提案することができる。
【００４７】
また、コンテンツ再生提案装置１Ｂにおいて、走行状況判断部２が判断する車両の走行状況には優先度が定められ、コンテンツ選択部５は、車両の走行状況が複数存在する場合には、最も優先度の高い車両の走行状況に対応する属性を有するコンテンツを、音源３０が再生可能なコンテンツの中から選択する。従って、複数の走行状況が成立する場合にも、走行状況に適したコンテンツの再生を提案することができる。
【００４８】
＜Ｃ．ハードウェア構成＞
上述したコンテンツ再生提案装置１Ａ，１Ｂにおける、走行情報取得部１、走行状況判断部２、状況属性対応データ取得部３、コンテンツ管理部４、コンテンツ選択部５、コンテンツ提案部６、入力受付部７、およびコンテンツ再生制御部８は、図９に示す処理回路４１により実現される。すなわち、処理回路４１は、走行情報取得部１、走行状況判断部２、状況属性対応データ取得部３、コンテンツ管理部４、コンテンツ選択部５、コンテンツ提案部６、入力受付部７、およびコンテンツ再生制御部８（以下、「走行情報取得部１等」と称する）を備える。処理回路４１には、専用のハードウェアが適用されても良いし、メモリに格納されるプログラムを実行するプロセッサが適用されても良い。プロセッサは、例えば中央処理装置、処理装置、演算装置、マイクロプロセッサ、マイクロコンピュータ、ＤＳＰ（Digital Signal Processor）等である。
【００４９】
処理回路４１が専用のハードウェアである場合、処理回路４１は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものが該当する。走行情報取得部１等の各部の機能それぞれは、複数の処理回路４１で実現されてもよいし、各部の機能をまとめて一つの処理回路で実現されてもよい。
【００５０】
処理回路４１がプロセッサである場合、走行情報取得部１等の機能は、ソフトウェア等（ソフトウェア、ファームウェアまたはソフトウェアとファームウェア）との組み合わせにより実現される。ソフトウェア等はプログラムとして記述され、メモリに格納される。図１０に示すように、処理回路４１に適用されるプロセッサ４２は、メモリ４３に記憶されたプログラムを読み出して実行することにより、各部の機能を実現する。すなわち、コンテンツ再生提案装置１Ａ，１Ｂは、処理回路４１により実行されるときに、車両の走行状況を判断するステップと、車両の走行状況とコンテンツの属性との対応関係を示す状況属性対応データを参照して、音源が再生可能なコンテンツの中から車両の走行状況に対応する属性を有するコンテンツを選択するステップと、選択されたコンテンツの再生を車両の搭乗者に提案するステップと、が結果的に実行されることになるプログラムを格納するためのメモリ４３を備える。換言すれば、このプログラムは、走行情報取得部１等の手順や方法をコンピュータに実行させるものであるともいえる。ここで、メモリ４３には、例えば、ＲＡＭ（Random Access Memory）、ＲＯＭ（Read Only Memory）、フラッシュメモリ、ＥＰＲＯＭ（Electrically Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disk）及びそのドライブ装置など、あらゆる記憶媒体が該当する。
【００５１】
以上、走行情報取得部１等の各機能が、ハードウェア及びソフトウェア等のいずれか一方で実現される構成について説明した。しかしこれに限ったものではなく、走行情報取得部１等の一部を専用のハードウェアで実現し、別の一部をソフトウェア等で実現する構成であってもよい。例えば、コンテンツ選択部５については専用のハードウェアとしての処理回路でその機能を実現し、それ以外についてはプロセッサ４２としての処理回路４１がメモリ４３に格納されたプログラムを読み出して実行することによってその機能を実現することが可能である。
【００５２】
以上のように、処理回路は、ハードウェア、ソフトウェア等、またはこれらの組み合わせによって、上述の各機能を実現することができる。
【００５３】
また、上記ではコンテンツ再生提案装置１Ａ，１Ｂを車載装置として説明したが、本発明は、車載装置、ＰＮＤ（Portable Navigation Device）、通信端末（例えば携帯電話、スマートフォン、およびタブレットなどの携帯端末）、およびこれらにインストールされるアプリケーションの機能、並びにサーバなどを適宜に組み合わせてシステムとして構築されるシステムにも適用することができる。その場合、以上で説明したコンテンツ再生提案装置１Ａ，１Ｂの各機能または各構成要素は、システムを構築する各機器に分散して配置されてもよいし、いずれかの機器に集中して配置されてもよい。
【００５４】
その一例として、車載装置５１とサーバ５２によるコンテンツ再生提案装置１Ｂの構成例を図１１に示す。この構成では、車載装置５１が走行情報取得部１、入力受付部７、コンテンツ再生制御部８、およびコンテンツ提案部６を備え、サーバ５２が、走行状況判断部２、コンテンツ選択部５、状況属性対応データ取得部３を備えている。
【００５５】
なお、本発明は、その発明の範囲内において、各実施の形態および各変形例を自由に組み合わせたり、各実施の形態および各変形例を適宜、変形または省略したりすることが可能である。
【００５６】
本発明は詳細に説明されたが、上記した説明は全ての態様において例示であり、本発明がそれに限定されるものではない。例示されていない無数の変形例が、本発明の範囲から外れることなく想定され得る。
【００５７】
なお、本発明は、その発明の範囲内において、各実施の形態を自由に組み合わせたり、各実施の形態を適宜、変形、省略したりすることが可能である。
【符号の説明】
【００５８】
１Ａ，１Ｂ  コンテンツ再生提案装置、２  走行状況判断部、３  状況属性対応データ取得部、４  コンテンツ管理部、５  コンテンツ選択部、６  コンテンツ提案部、７  入力受付部、８  コンテンツ再生制御部、２１  出力装置、２１Ａ  表示装置、２１Ｂ  音声出力装置、２２  入力装置、３０  音源、３１  ＳＤ  Ａｕｄｉｏ、３２  ＵＳＢ、３３  ラジオ、３４  ＣＤ、３５  Ｂｌｕｅｔｏｏｔｈ  Ａｕｄｉｏ  ４１  処理回路、４２  プロセッサ、４３  メモリ。
【図１】
2018063133.tif 000003
【図２】
2018063133.tif 000004
【図３】
2018063133.tif 000005
【図４】
2018063133.tif 000006
【図５】
2018063133.tif 000007
【図６】
2018063133.tif 000008
【図７】
2018063133.tif 000009
【図８】
2018063133.tif 000010
【図９】
2018063133.tif 000011
【図１０】
2018063133.tif 000012
【図１１】
2018063133.tif 000013